(57)【要約】【課題】簡潔な構成で、ケース密閉手段が計量時に負荷として作用したり、気温の変化によってロードセル（の起歪部）に不測の応力が作用することがない電子天秤を提供する。【解決手段】秤本体ケース12上面にその固定端が固定されて水平に配設されたロードセル20の可動端に計量皿30が連結され、ロードセル20で検出した出力を演算処理等する電子回路基板40がケース12内に設けられた電子天秤で、ロードセル20の固定端20aにケース12内に連通する貫通孔26を設け、該貫通孔26にロードセル20と電子回路基板40とを接続する電気配線25を挿通し、貫通孔26を密閉した。ダイヤフラムが不要で、簡潔な構造となる。計量時のロードセル20（の起歪部２２ａ）には、貫通孔26の密閉手段28bが負荷として作用せず、気温の変化でケース12内の空気が膨張縮小し貫通孔16の密閉手段28bに作用する上方（下方）付勢力が負荷として作用せず、高性能の電子天秤を提供できる。【選択図】図３
2014061112.tif 000002
【特許請求の範囲】
【請求項１】
秤本体ケース上面にその固定側端部が固定されて水平に片持ち梁状に配設されたロードセルと、前記ロードセルの可動側端部に連結された計量皿と、前記秤本体ケース内に設けられて、前記ロードセルで検出した出力を演算処理等する電子回路基板とを備え、
前記ロードセルの固定側端部には、前記秤本体ケース内に連通する貫通孔が設けられ、前記貫通孔は、前記ロードセルと前記電子回路基板とを接続する電気配線が挿通されるとともに、所定の密閉手段によって密閉されたことを特徴とする電子天秤。
【請求項２】
前記ロードセルは、起歪部画成用のめがね型の側面貫通孔が設けられた金属製矩形ブロック状の起歪体と、前記起歪体の上側起歪部上面に貼り付けられた歪ゲージを備え、前記起歪体の固定側端部には、上下に延びる前記電気配線挿通用の貫通孔が設けられたことを特徴とする請求項１に記載の電子天秤。
【請求項３】
平面視略矩形状に形成された前記秤本体ケースの正面側には、前記ロードセルの一側面に沿って延在する立壁状の表示部が該秤本体ケースに一体的に設けられるとともに、前記表示部背後のロードセル配設空間は、着脱可能な透明カバーで囲まれたことを特徴とする請求項１または２に記載の電子天秤。
【請求項４】
前記透明カバーは、前記計量皿に一体化されて下方に延出する隔壁で構成されたことを特徴とする請求項３に記載の電子天秤。
【請求項５】
前記透明カバーは、前記立壁状の表示部を含む前記秤本体ケース外周に組み付けられた隔壁で構成されたことを特徴とする請求項３に記載の電子天秤。
【発明の詳細な説明】
【技術分野】
【０００１】
本願発明は、起歪体の起歪部に歪ゲージを貼付けたロードセルを備え、計量皿に載せた被計量物の重さをロードセルの出力として検出する電子天秤に係り、特に、秤本体ケース外部に配設したロードセルで検出した出力を秤本体ケース内に設けた電子回路基板で演算処理等する電子天秤に関する。
【背景技術】
【０００２】
この種の電子天秤の従来技術としては、例えば「特許文献１」に記載されているように、ケース上方に設けた計量皿が連結部材を介してケース内のロードセルに連結されている。詳しくは、ケース底面側にその固定側端部が固定されて水平に片持ち梁状に配設されたロードセルの可動側端部には、ケース上面に設けた開口部を貫通する連結部材を介して計量皿が連結され、ケース内のロードセル近傍（例えば、ロードセルの側面）には、ロードセルで検出した出力を演算処理等する電子回路基板が設けられている。【０００３】
ロードセルには、歪ゲージ等の電装部品が搭載され、歪ゲージ等の電装部品と電子回路基板とは、電気配線によって電気的に接続されていることから、ケースを防水構造にする必要がある。【０００４】
このため、連結部材とケースの開口周縁部間に防水ダイヤフラムが介装されて、ケース内が密閉（ケース内への水の浸入が防止）されている。
【先行技術文献】
【特許文献】
【０００５】
【特許文献１】特開２００３−３２２５５６号公報（段落００２５〜００２７，００３２、図１，２）
【発明の概要】
【発明が解決しようとする課題】
【０００６】
しかし、上記「特許文献１」では、連結部材とケースの開口周縁部間に防水ダイヤフラムが介装されているため、以下の問題がある。【０００７】
第１には、ケースの開口部を密閉する防水ダイヤフラムおよび防水ダイヤフラムを設けるための連結部材が不可欠で、それだけ電子天秤の構造が複雑となる。【０００８】
第２には、計量時に防水ダイヤフラムが負荷としてロードセル（の起歪部）に作用し、ダイヤフラムが抵抗となる分、秤の性能が低下する。【０００９】
第３には、ケース内が密閉されているため、気温の変化によってケース内の空気が膨張縮小して、秤の性能が低下する。詳しくは、ケース内の温度が上昇（下降）しダイヤフラムが膨張（縮小）すると、ロードセルの可動端側が上方（下方）に付勢されてロードセル（の起歪部）が上方凹（凸）となる変形を受けるため、計量時の歪ゲージの変形がそれだけ小さく（大きく）、実際の計測値よりも小さい（大きい）値が検出される。【００１０】
発明者が従来技術について検討した結果、ケース内にロードセルを配設する以上、ケースの上面壁には、計量皿とロードセルの可動側端部を連結する連結部材を貫通配置できる開口部を設け、さらに前記連結部と前記開口部周縁部間に防水ダイヤフラムを介装することが不可欠である。【００１１】
そこで、発明者は、ロードセルをケース外に配設するとともに、ロードセルの固定側端部に、歪ゲージ等の電装部品とケース内の電子回路基板とを接続する電気配線を挿通するための孔を設け、この孔を密封（密閉）する構造にすれば、前記した第１〜第３の問題を解決できると考えた。【００１２】
そして、試作品を作りその効果を検証したところ、有効であることが確認されたことで、このたびの出願に至ったものである。【００１３】
本発明は、前記従来技術の課題に鑑みてなされたもので、その目的は、ロードセルをケース外に配設し、歪ゲージとケース内の電子回路基板とを接続する電気配線を挿通するための孔をロードセルの固定側端部に設けることで、簡潔な構成で、ケース密閉手段が計量時に負荷として作用したり、気温の変化によってロードセル（の起歪部）に不測の応力が作用することがない電子天秤を提供することにある。
【課題を解決するための手段】
【００１４】
前記課題を解決するために、請求項１に係る電子天秤においては、秤本体ケース上面にその固定側端部が固定されて水平に片持ち梁状に配設されたロードセルと、前記ロードセルの可動側端部に連結された計量皿と、前記秤本体ケース内に設けられて、前記ロードセルで検出した出力を演算処理等する電子回路基板とを備え、
前記ロードセルの固定側端部に、前記秤本体ケース内に連通する貫通孔を設け、前記貫通孔に、前記ロードセルと前記電子回路基板とを接続する電気配線を挿通するとともに、該貫通孔を所定の密閉手段によって密閉するように構成した。【００１５】
なお、ロードセルの固定側端部の貫通孔を密閉する密閉手段としては、例えばシリコン材などの弾性防水材を装填する方法が考えられる。【００１６】
（作用）従来構造では、計量皿は、ダイヤフラムを介装するための連結部材を介してロードセルの可動側端部に連結されているのに対し、本願発明では、計量皿がロードセルの可動側端部に直接連結されている。電子天秤構成部材として従来不可欠であった連結部材およびダイヤフラムが不要となる分、電子天秤を構成する部品点数が減る。即ち、前記した第１の問題が解決される。【００１７】
また、ロードセルの固定側端部は、秤本体ケース上面に固定されているので、計量皿に被計量物を載せた計量時（ロードセルに被計量物の荷重が作用する計量時）に、ロードセルの固定側端部の貫通孔に設けた密閉手段が負荷として、ロードセル（の起歪部）に作用することはなく、秤の性能が低下するおそれはない。即ち、前記した第２の問題が解決される。【００１８】
また、ロードセルは、秤本体ケース外に設けられているので、気温の変化によって秤の性能が低下するおそれがない。詳しくは、秤本体ケース内が密閉されているため、気温の変化によってケース内の空気が膨張縮小して、ロードセルの固定側端部の貫通孔に設けた密閉手段が上方（下方）に付勢されるが、ロードセルの固定側端部は、秤本体ケース上面に固定されているので、計量皿に被計量物を載せた計量時（ロードセルに被計量物の荷重が作用する計量時）に、密閉手段に作用する上方（下方）付勢力が負荷としてロードセル（の起歪部）に作用して秤の性能を低下させるおそれは全くない。即ち、前記した第３の問題が解決される。【００１９】
請求項２においては、請求項１に記載の電子天秤において、前記ロードセルは、起歪部画成用のめがね型の側面貫通孔を設けた金属製矩形ブロック状の起歪体と、前記起歪体の上側起歪部上面に貼り付けられた歪ゲージを備え、前記起歪体の固定側端部に、上下に延びる前記電気配線挿通用の貫通孔を設けるように構成した。【００２０】
（作用）金属製矩形ブロック状の起歪体の上面側には、歪ゲージや出力補償用抵抗等のブリッジ回路を構成するフレキシブルプリント配線板等の電装部品が搭載されており、起歪体に搭載された電装部品から導出する電気配線は、起歪体の上面に沿って延出した後、起歪体の固定側端部の上面に開口する貫通孔を貫通して秤本体ケース内に導出して、ロードセルで検出した出力を演算処理等する電子回路基板に接続されている。【００２１】
即ち、歪ゲージなどの電装部品が搭載されている起歪体の上面側に電気配線挿通用の貫通孔が開口しているので、ロードセル（に搭載された電装部品）と秤本体ケース内に配設された電子回路基板とを接続する電気配線が、起歪体の上面から左右にはみ出すことなく収まるので、起歪体の上面に露呈している電装部品の導電部に防水のための絶縁被覆を形成し易いし、ロードセルを搬送したり組み付ける際に電気配線が何かに引っ掛かって絶縁被膜が剥がれるおそれもない。【００２２】
請求項３においては、請求項１または２に記載の電子天秤において、平面視略矩形状に形成された前記秤本体ケースの正面側に、前記ロードセルの一側面に沿って延在する立壁状の表示部を該秤本体ケースに一体的に設けるとともに、前記表示部背後のロードセル配設空間を、着脱可能な透明カバーで囲むように構成した。【００２３】
（作用）ロードセル配設空間を取り囲む透明カバーは、風防として作用するとともに、ロードセル配設空間へのゴミ等の侵入を防止するので、ロードセル配設空間（ロードセル周辺領域）が汚れにくい。【００２４】
また、ロードセル配設空間（ロードセル周辺領域）の汚れ具合は、透明カバーを通して外部から視認できるので、必要に応じて透明カバーを取り外して、ロードセル配設空間（ロードセル周辺領域）の汚れを洗浄できる。【００２５】
請求項４においては、請求項３に記載の電子天秤において、前記透明カバーを、前記計量皿に一体化されて下方に延出する隔壁で構成するようにした。【００２６】
なお、透明カバーが計量皿に一体化されている構成には、第１の実施例（図１〜図４）に示すように、透明カバーが計量皿に一体成形されている構成と、第１の実施例の変形例（図５）に示すように、計量皿とは別部材で構成された透明カバーを、ネジなどの固定手段によって計量皿に一体化されている構成の双方を含む。【００２７】
（作用）計量皿のロードセルとの連結を解除して、計量皿とともに透明カバー（ロードセル配設空間を取り囲む隔壁）をロードセルから取り外すことで、ロードセル配設空間を開放した形態にして、ロードセル配設空間（ロードセル周辺領域）の汚れを洗浄することができる。【００２８】
請求項５においては、請求項３に記載の電子天秤において、前記透明カバーを、前記立壁状の表示部を含む前記秤本体ケース外周に組み付けられた隔壁で構成した。【００２９】
なお、請求項５における透明カバーの具体的な構成としては、第２の実施例（図６〜図９）に示すように、立壁状の表示部の表示画面に対応する開口部が設けられ、立壁状の表示部を含む秤本体ケースに上方から被着されて、立壁状の表示部と協働してロードセル配設空間の前後左右の側面を覆う枠形状の隔壁で構成されて、計量皿をロードセルから取り外した状態で、秤本体ケースの上方から透明カバー（枠形状の隔壁）を着脱できる第１の構成と、第３の実施例（図１０、図１１）に示すように、ロードセル配設空間の左右側面から背面側にかけた領域を覆う水平断面略Ｕ字型の隔壁で構成されて、計量皿をロードセルから取り外すことなく、秤本体ケースの背後から透明カバー（水平断面略Ｕ字型の隔壁）を進退動作させて着脱できる第２の構成が考えられる。【００３０】
（作用）本体ケースから透明カバーを取り外すことで、ロードセル配設空間の少なくとも左右側面から背面側を開放した形態にして、ロードセル配設空間（ロードセル周辺領域）の汚れを洗浄することができる。【００３１】
詳しくは、第１の構成（図６〜図９に示す第２の実施例）では、まず、計量皿をロードセルから取り外して、ロードセル配設空間の上方を開放し、次いで、透明カバー（枠形状の隔壁）を秤本体ケースの上方に抜き出すことで、ロードセル配設空間の左右側面から背面側を開放して、ロードセル配設空間（ロードセル周辺領域）の汚れを洗浄する。【００３２】
第２の構成（図１０、図１１に示す第３の実施例）では、計量皿をロードセルから取り外すことなく、秤本体ケースの背後から透明カバー（水平断面略Ｕ字型の隔壁）を後方に抜き出すことで、ロードセル配設空間の左右側面から背面側を開放して、ロードセル配設空間（ロードセル周辺領域）の汚れを洗浄する。
【発明の効果】
【００３３】
本願発明（請求項１）に係る電子天秤によれば、従来構造において不可欠であった連結部材およびダイヤフラムが不要となる分、簡潔な構造の電子天秤を提供できる。【００３４】
ロードセル（の起歪部）には、計量皿に被計量物を載せた計量時（ロードセルに被計量物の荷重が作用する計量時）に、ロードセルの固定側端部の貫通孔に設けた密閉手段が負荷として作用することも、気温の変化によって秤本体ケース内の空気が膨張縮小して貫通孔に設けた密閉手段に作用する上方（下方）付勢力が負荷として作用することもないので、高性能の電子天秤を提供できる。【００３５】
請求項２に係る電子天秤によれば、ロードセル（起歪体）の上面に露呈している電装部品の導電部への防水絶縁被覆の形成作業が容易となるとともに、電気配線が何かに引っ掛かって絶縁被膜が剥がれるおそれもないので、ロードセルの搬送や組み付け作業も容易となる。【００３６】
請求項３に係る電子天秤によれば、風防として作用する透明カバーにより、計量皿が風の影響を受けない分、高精度の測定が可能となる。【００３７】
また、ロードセル配設空間（ロードセル周辺領域）が汚れにくい分、汚れを除去するための作業の頻度が低減される。【００３８】
また、ロードセル配設空間（ロードセル周辺領域）の汚れ具合を外部から視認できるので、必要性に応じて透明カバーを取り外して汚れを除去できる。【００３９】
請求項４に係る電子天秤によれば、ロードセル配設空間を解放した状態でロードセル周辺領域の汚れを洗浄できるので、洗浄作業がし易い。【００４０】
請求項５に係る電子天秤によれば、ロードセル配設空間の少なくとも左右側面から背面側を開放した状態でロードセル周辺領域の汚れを洗浄できるので、洗浄作業がし易い。【００４１】
特に、第２の構造（第３の実施例）では、計量皿をロードセルから取り外すことなく、ロードセル周辺領域を洗浄することができるので、それだけ洗浄作業が簡単である。
【図面の簡単な説明】
【００４２】
【図１】本発明の第１の実施例である電子天秤の正面斜視図である。
【図２】同電子天秤の背面斜視図である。
【図３】同電子天秤の縦断面図（図１に示す線III−IIIに沿う断面図）である。
【図４】同電子天秤の縦断面図（図３に示す線IV−IVに沿う断面図）である。
【図５】本発明の第１の実施例の変形例である電子天秤の縦断面図（図３に対応する図）である。
【図６】本発明の第２の実施例である電子天秤の正面斜視図である。
【図７】同電子天秤の背面斜視図である。
【図８】同電子天秤の縦断面図（図６に示す線VIII−VIIIに沿う断面図）である。
【図９】同電子天秤の要部である透明カバーの斜視図である。
【図１０】本発明の第３の実施例である電子天秤の背面斜視図である。
【図１１】同電子天秤の要部である透明カバー係止用リブの断面図である。
【発明を実施するための形態】
【００４３】
本発明の実施の形態を実施例に基づいて説明する。
【００４４】
図１〜図５は、本発明に係る電子天秤の第１の実施例を示すもので、電子天秤１０Ａは、平面視略矩形状に形成された合成樹脂製の秤本体ケース１２と、秤本体ケース１２の上面にその固定側端部２０ａが固定されて水平に片持ち梁状に配設されたロードセル２０と、ロードセル２０の可動側端部２０ｂに連結された計量皿３０と、秤本体ケース１２に一体成形された中空立壁状の表示部５０内に設けられて、ロードセル２０で検出した出力を演算処理等する電子回路基板４０とを備えて構成されている。なお、図３において、符号３１ａ，３１ｂは、計量皿３０をロードセル２０の可動側端部２０ａに固定する固定ネジ、符号２７ａ，２７ｂは、ロードセル２０の固定側端部２０ａを秤本体ケース１２上面壁に固定する固定ネジである。
【００４５】
図３，４において、ロードセル２０の固定側端部２０ａには、ロードセル２０と電子回路基板４０とを接続する電気配線２５を挿通するための上下貫通孔２６が設けられ、該上下貫通孔２６は、秤本体ケース１２上面壁に設けられた上下貫通孔１４を介してケース１２内に連通している。
【００４６】
即ち、ロードセル２０は、起歪部を画成するめがね型の側面貫通孔２３を設けた金属製矩形ブロック状の起歪体２２を備え、起歪体２２の上側起歪部２２ａ上面には歪ゲージ２４が貼り付けられるとともに、起歪体２２の上面には、歪ゲージ２４と電気的に接続された、出力補償用抵抗等のブリッジ回路を構成するフレキシブルプリント配線板２４ａが貼り付けられている。
【００４７】
そして、フレキシブルプリント配線板２４ａから導出する電気配線２５が、図３、４に示すように、上下貫通孔２６，１４を貫通してケース１２内に導出し、ケース１２内に配置された中継配線基板１６（図４参照）を介して、秤本体ケース１２に一体化された中空の表示部５０内に配置された電子回路基板４０に接続されている。
【００４８】
起歪体２２の上面側には、電装部品（歪ゲージ２４やフレキシブルプリント配線板２４ａ）や電気配線２５を覆うシリコン絶縁被覆２８ａが形成されて、これらの電装部品の導電部における絶縁と防水が確保されている。
【００４９】
さらには、上下貫通孔２６には、密閉手段であるシリコン材２８ｂが装填されて、秤本体ケース１２内が確実に密閉されている。
【００５０】
本実施例では、歪ゲージ２４などの電装部品が搭載されている起歪体２２の上面側に電気配線２５挿通用の貫通孔２６が開口しているので、ロードセル２０（に搭載された電装部品）と秤本体ケース１２内に配置された電子回路基板４０とを接続する電気配線２５が、起歪体２２の上面から左右にはみ出すことなく収まり、起歪体２２の上面に露呈している電装部品の導電部に防水のための絶縁被覆２８ａを形成し易いし、ロードセル２０を搬送したり電子天秤として組み付ける際に、電気配線２５が何かに引っ掛かって絶縁被覆２８ａが剥がれるおそれもない。
【００５１】
また、秤本体ケース１２内には、図３に示すように、電源である乾電池１８を収容する電池収容室１７が画成されている。電池収容室１７は、ケース１２の底面側に開口しており、開口部に組み付けられた蓋１７ａを取り外すことで、乾電池１８の交換ができる。
【００５２】
また、秤本体ケース１２の正面側には、図１，４に示すように、ロードセル２０の一側面に沿って延在する中空立壁状の表示部５０が該秤本体ケース１２に一体的に設けられている。中空の表示部５０の前面側には、液晶画面５０ａが設けられ、表示部５０内の液晶画面５０ａ裏面側には、ロードセル２０で検出した出力を演算処理するとともに、液晶画面５０ａに表示するデータを制御する電子回路基板４０が配置されている。
【００５３】
一方、秤本体ケース１２背面側のコーナ部には、左右一対の中空突出部５６が中空の表示部５０と同一高さに形成されて、秤本体ケース１２の上面に、中空の表示部５０と左右一対の中空突出部５６，５６に囲まれたロードセル収容室Ｓが形成されている。中空突出部５６の外側面は、秤本体ケース１２の外側面と面一に形成されて、電子天秤１０Ａの側方および後方からの外観意匠の統一が図られている。
【００５４】
被測定物を載せる計量皿３０は、ロードセル２０の可動側端部２０ｂに連結される透明合成樹脂製の皿本体３２と、皿本体３２の上面側を覆う合成樹脂製の皿カバー３４で構成されている。皿本体３２には、図３、４に示すように、下方に延出する筒形状の透明カバー３６が一体成形されている。
【００５５】
透明カバー３６は、ロードセル配設空間Ｓに配設されているロードセル２０の周りを余裕をもって囲むことのできる大きさに形成されるとともに、秤本体ケース１２の上面近傍まで延出して、ロードセル配設空間Ｓの前後左右の側面を取り囲む平面視矩形状の隔壁を構成している。
【００５６】
そして、ロードセル配設空間Ｓを取り囲む透明カバー３６は、風防として作用するので、計量皿３０が風の影響を受けない分、電子天秤１０Ａによる高精度の測定が可能となる。
【００５７】
また、透明カバー３６は、ロードセル配設空間Ｓへのゴミ等の侵入を防止するので、ロードセル配設空間Ｓ（ロードセル２０の周辺領域）が汚れにくい。
【００５８】
また、ロードセル２０周辺領域の汚れ具合は、透明カバー３６を通して外部から視認できるので、必要に応じて透明カバー３６を取り外して、ロードセル２０周辺領域の汚れを洗浄できる。
【００５９】
詳しくは、まず、計量皿３０の皿カバー３４を皿本体３２から取り外して、固定ネジ３１ａ，３１ｂを露呈させる。次いで、固定ネジ３１ａ，３１ｂを外して、皿本体３２を透明カバー３６と一体にロードセル２０の可動側端部２０ｂから取り外すことで、ロードセル配設空間Ｓ全体を開放した状態にして、ロードセル２０の周辺領域の汚れを水などで洗浄する。
【００６０】
なお、本実施例では、透明カバー３６が皿本体３２に一体成形されているが、図５に示す変形例のように、皿本体３２とは別体に構成した透明カバー３６を、例えばネジ３７締結により皿本体３２に一体化する構造であってもよい。しかし、図５に示す構造では、電子天秤を構成する部品点数が増えることから、簡潔な構造の電子天秤を提供するためには、透明カバー３６は皿本体３２に一体成形されていることが望ましい。
【００６１】
図６〜図９は、本発明の第２の実施例である電子天秤１０Ｂを示す。
【００６２】
前記した第１の実施例の電子天秤１０Ａでは、筒形状の透明カバー３６が皿本体３２に一体化されているが、この第２の実施例の電子天秤１０Ｂでは、透明カバー６０が、中空立壁状の表示部５０および中空突出部５６Ａ，５６Ａを含む秤本体ケース１２の外周に上方から組み付けられた枠形状の隔壁で構成されている。
【００６３】
透明カバー６０は、図９に示すように、上下に開口するとともに、表示部５０の液晶画面５０ａに対応する開口部６２が設けられて、その下側縁部６０ａが秤本体ケース１２上面の外側縁１２ａに係合して、中空表示部５０の左右の外側面および中空突出部５６Ａ，５６Ａの外側面にそれぞれ係合する矩形枠状に形成されている。
【００６４】
詳しくは、図６，７に示すように、中空突出部５６Ａ，５６Ａは、秤本体ケース１２上面の外側縁１２ａから透明カバー６０の厚さｔ相当だけ内側にオフセットした位置に突出形成されるとともに、中空表示部５０の左右の外側面から前面上部に跨る領域には、図７，８に示すように、透明カバー６０の厚さｔ相当だけ内側に窪んで、透明カバー６０の開口周縁部６２ａが係合する段差部５０ｂが形成されており、秤本体ケース１２の外側面１２ｂと透明カバー６０の外側面６０ｂが面一となるように構成されている。
【００６５】
本実施例においても、ロードセル配設空間Ｓを取り囲む透明カバー６０が風防として作用するので、計量皿３０が風の影響を受けない分、電子天秤１０Ｂによる高精度の測定が可能となる。
【００６６】
また、透明カバー６０は、ロードセル配設空間Ｓへのゴミ等の侵入を防止するので、ロードセル配設空間Ｓ（ロードセル２０の周辺領域）が汚れにくい。
【００６７】
また、ロードセル２０周辺領域の汚れ具合は、透明カバー６０を通して外部から視認できるので、必要に応じて透明カバー６０を取り外して、ロードセル２０周辺領域の汚れを洗浄できる。
【００６８】
即ち、前記した第１の実施例の電子天秤１０Ａの場合と同様の手順で、まず、計量皿３０をロードセル２０の可動側端部２０ｂから取り外す。次いで、透明カバー６０を上方に抜き出して、ロードセル配設空間Ｓ全体を開放した状態にして、ロードセル２０周辺領域の汚れを水などで洗浄する。
【００６９】
図１０，図１１は、本発明の第３の実施例である電子天秤１０Ｃを示す。
【００７０】
前記した第２の実施例の電子天秤１０Ｂでは、透明カバー６０がロードセル配設空間Ｓの外周全体を覆う枠形状に形成されて、秤本体ケース１２の上方から透明カバー６０を着脱できる構造であったが、この第３の実施例の電子天秤１０Ｃでは、透明カバー７０がロードセル配設空間Ｓの左右側面から背面側を覆う水平断面略Ｕ字型の隔壁で構成されて、計量皿３０のロードセル２０との連結を解除することなく、電子天秤１０Ｃ（秤本体ケース１２）の背後から透明カバー７０を着脱できるように構成されている。
【００７１】
詳しくは、電子天秤１０Ｃを構成する構成部材のうち、透明カバー７０を除く他の構成部材については、前記した第１，第２の実施例の電子天秤１０Ａ，１０Ｂを構成する構成部材と同一であるので、相違する透明カバー７０および透明カバー７０を係止する秤本体ケース１２側の係止部について詳しく説明し、その他の部分については、第１，第２の実施例と同一の符号を付すことで、その重複した説明を省略する。
【００７２】
水平断面略Ｕ字型に形成された透明カバー７０の左右一対の前縁部７２は、秤本体ケース１２の中空立壁状の表示部５０背面壁の傾斜に整合する傾斜が付けられて、透明カバー７０を秤本体ケース１２に組み付けた際に、透明カバー７０の前縁部７２が中空表示部５０背面壁に係合するとともに、透明カバー７０の内周コーナ部７０ａが中空突出部５６Ａ，５６Ａの外側面に係合して、透明カバー７０は中空立壁状表示部５０と協働して、ロードセル配設空間Ｓを取り囲むようになっている。
【００７３】
また、中空立壁状表示部５０背面壁の左右両側には、透明カバー７０を左右方向に位置決めするリブ５２が設けられ、秤本体ケース１２の背面壁には、中空立壁状表示部５０と協働して、透明カバー７０を前後方向に位置決めするリブ１２ｃが設けられている。
【００７４】
本実施例においても、ロードセル配設空間Ｓを取り囲む透明カバー７０が風防として作用するので、計量皿３０が風の影響を受けない分、電子天秤１０Ｃによる高精度の測定が可能となる。
【００７５】
また、透明カバー７０は、ロードセル配設空間Ｓへのゴミ等の侵入を防止するので、ロードセル配設空間Ｓ（ロードセル２０周辺領域）が汚れにくい。
【００７６】
また、ロードセル２０周辺領域の汚れ具合は、透明カバー７０を通して外部から視認できるので、必要に応じて透明カバー７０を取り外して、ロードセル２０周辺領域の汚れを洗浄できる。
【００７７】
即ち、透明カバー７０を上方に僅かに浮かせてリブ１２ｃによる係止を外し、透明カバー７０を後方に抜き出して、ロードセル配設空間Ｓ全体を開放した状態にして、ロードセル２０周辺領域の汚れを水などで洗浄する。
【符号の説明】
【００７８】
１０Ａ，１０Ｂ，１０Ｃ  電子天秤
１２  秤本体ケース
１２ａ  秤本体ケース上面の外側縁
１４  秤本体ケース上面壁に設けられた上下貫通孔
１６  中継配線基板
２０  ロードセル
２０ａ  ロードセルの固定側端部
２０ｂ  ロードセルの可動側端部
２２  起歪体
２２ａ  起歪部
２３  めがね型貫通孔
２４  歪ゲージ
２５  ロードセルと電子回路基板とを接続する電機配線
２６  電気配線挿通用の上下貫通孔
２７ａ，２７ｂ  ロードセルの固定側端部を秤本体ケースに固定する固定ネジ
２８ａ  シリコン絶縁被覆
２８ｂ  貫通孔密閉手段であるシリコン材
３０  計量皿
３１ａ，３１ｂ  計量皿をロードセルの可動側端部に固定する固定ネジ
３２  皿本体
３４  皿カバー
３６  ロードセル配設空間を囲む透明カバー
４０  電子回路基板
５０  中空立壁状の表示部
５０ａ  液晶画面
５６，５６Ａ  中空突出部
Ｓ  ロードセル配設空間
６０  ロードセル配設空間を囲む透明カバー
７０  ロードセル配設空間を囲む透明カバー
【図１】
2014061112.tif 000003
【図２】
2014061112.tif 000004
【図３】
2014061112.tif 000005
【図４】
2014061112.tif 000006
【図５】
2014061112.tif 000007
【図６】
2014061112.tif 000008
【図７】
2014061112.tif 000009
【図８】
2014061112.tif 000010
【図９】
2014061112.tif 000011
【図１０】
2014061112.tif 000012
【図１１】
2014061112.tif 000013
【手続補正書】
【提出日】平成28年7月14日(2016.7.14)
【手続補正１】
【補正対象書類名】明細書
【補正対象項目名】０００１
【補正方法】変更
【補正の内容】
【０００１】
本願発明は、起歪体の起歪部に歪ゲージを貼付けたロードセルを備え、計量皿に載せた被計量物の重さをロードセルの出力として検出する電子天秤に係り、特に、秤本体ケース外部に配設したロードセルで検出した出力を秤本体ケース内に設けた電子回路基板で演算処理する電子天秤に関する。
【手続補正２】
【補正対象書類名】明細書
【補正対象項目名】０００２
【補正方法】変更
【補正の内容】
【０００２】
この種の電子天秤の従来技術としては、例えば「特許文献１」に記載されているように、ケース上方に設けた計量皿が連結部材を介してケース内のロードセルに連結されている。詳しくは、ケース底面側にその固定側端部が固定されて水平に片持ち梁状に配設されたロードセルの可動側端部には、ケース上面に設けた開口部を貫通する連結部材を介して計量皿が連結され、ケース内のロードセル近傍（例えば、ロードセルの側面）には、ロードセルで検出した出力を演算処理する電子回路基板が設けられている。
【手続補正３】
【補正対象書類名】明細書
【補正対象項目名】００１４
【補正方法】変更
【補正の内容】
【００１４】
前記課題を解決するために、請求項１に係る電子天秤においては、秤本体ケース上面にその固定側端部が固定されて水平に片持ち梁状に配設されたロードセルと、前記ロードセルの可動側端部に連結された計量皿と、前記秤本体ケース内に設けられて、前記ロードセルで検出した出力を演算処理する電子回路基板とを備え、
前記ロードセルの固定側端部に、前記秤本体ケース内に連通する貫通孔を設け、前記貫通孔に、前記ロードセルと前記電子回路基板とを接続する電気配線を挿通するとともに、該貫通孔を所定の密閉手段によって密閉するように構成した。
【手続補正４】
【補正対象書類名】明細書
【補正対象項目名】００２０
【補正方法】変更
【補正の内容】
【００２０】
（作用）金属製矩形ブロック状の起歪体の上面側には、歪ゲージや出力補償用抵抗等のブリッジ回路を構成するフレキシブルプリント配線板等の電装部品が搭載されており、起歪体に搭載された電装部品から導出する電気配線は、起歪体の上面に沿って延出した後、起歪体の固定側端部の上面に開口する貫通孔を貫通して秤本体ケース内に導出して、ロードセルで検出した出力を演算処理する電子回路基板に接続されている。
【手続補正５】
【補正対象書類名】明細書
【補正対象項目名】００４４
【補正方法】変更
【補正の内容】
【００４４】
図１〜図５は、本発明に係る電子天秤の第１の実施例を示すもので、電子天秤１０Ａは、平面視略矩形状に形成された合成樹脂製の秤本体ケース１２と、秤本体ケース１２の上面にその固定側端部２０ａが固定されて水平に片持ち梁状に配設されたロードセル２０と、ロードセル２０の可動側端部２０ｂに連結された計量皿３０と、秤本体ケース１２に一体成形された中空立壁状の表示部５０内に設けられて、ロードセル２０で検出した出力を演算処理する電子回路基板４０とを備えて構成されている。なお、図３において、符号３１ａ，３１ｂは、計量皿３０をロードセル２０の可動側端部２０ａに固定する固定ネジ、符号２７ａ，２７ｂは、ロードセル２０の固定側端部２０ａを秤本体ケース１２上面壁に固定する固定ネジである。
【手続補正６】
【補正対象書類名】特許請求の範囲
【補正対象項目名】全文
【補正方法】変更
【補正の内容】
【特許請求の範囲】
【請求項１】
秤本体ケース上面にその固定側端部が固定されて水平に片持ち梁状に配設されたロードセルと、前記ロードセルの可動側端部に連結された計量皿と、前記秤本体ケース内に設けられて、前記ロードセルで検出した出力を演算処理する電子回路基板とを備え、
前記ロードセルの固定側端部には、前記秤本体ケース内に連通する貫通孔が設けられ、前記貫通孔は、前記ロードセルと前記電子回路基板とを接続する電気配線が挿通されるとともに、所定の密閉手段によって密閉されたことを特徴とする電子天秤。
【請求項２】
前記ロードセルは、起歪部画成用のめがね型の側面貫通孔が設けられた金属製矩形ブロック状の起歪体と、前記起歪体の上側起歪部上面に貼り付けられた歪ゲージを備え、前記起歪体の固定側端部には、上下に延びる前記電気配線挿通用の貫通孔が設けられたことを特徴とする請求項１に記載の電子天秤。
【請求項３】
平面視略矩形状に形成された前記秤本体ケースの正面側には、前記ロードセルの一側面に沿って延在する立壁状の表示部が該秤本体ケースに一体的に設けられるとともに、前記表示部背後のロードセル配設空間は、着脱可能な透明カバーで囲まれたことを特徴とする請求項１または２に記載の電子天秤。
【請求項４】
前記透明カバーは、前記計量皿に一体化されて下方に延出する隔壁で構成されたことを特徴とする請求項３に記載の電子天秤。
【請求項５】
前記透明カバーは、前記立壁状の表示部を含む前記秤本体ケース外周に組み付けられた隔壁で構成されたことを特徴とする請求項３に記載の電子天秤。
【国際調査報告】
2014061112.tif 000014
2014061112.tif 000015
2014061112.tif 000016
2014061112.tif 000017